(57)【特許請求の範囲】
【請求項１】
異なるユーザタイプに対する通知情報の表示方式が異なる通知情報の表示方法であって、
スクリーンロック状態で、前記通知情報を受信するステップと、
前記通知情報を閲覧しようとするユーザのユーザタイプを確定するステップと、
前記ユーザタイプに応じて前記通知情報の表示方式を確定するステップと、
前記表示方式に応じて前記通知情報を表示するステップと、
を含み、
前記ユーザタイプに応じて前記通知情報の表示方式を確定するステップは、
前記ユーザタイプにより前記ユーザが特定ユーザであると示される場合、表示方式を、通知情報におけるプライバシー情報を表示する方式として確定するステップと、
前記ユーザタイプにより前記ユーザが非特定ユーザであると示される場合、表示方式を、通知情報におけるプライバシー情報を隠す方式として確定するステップと、
を含み、
前記通知情報を閲覧しようとするユーザのユーザタイプを確定するステップは、
予め決められる領域内に、特定ユーザの有する装着可能な機器が存在するか否かを検出し、その検出結果によって前記通知情報を閲覧しようとするユーザのタイプを確定するステップ、
または、
電子機器を使用しているユーザの第１の生理的特徴情報を抽出すると共に、予め記憶された特定ユーザの第２の生理的特徴情報を取得して、前記第１の生理的特徴情報と前記第２の生理的特徴情報とを比較し、その比較結果によって前記通知情報を閲覧しようとするユーザのタイプを確定するステップ、
を含むことを特徴とする通知情報の表示方法。
【請求項２】
予め決められる領域内に、特定ユーザの有する装着可能な機器が存在するか否かを検出するステップは、
特定ユーザの有する装着可能な機器のブルートゥース信号の強度によって当該装着可能な機器と電子機器との距離を確定するステップと、
特定ユーザの有する装着可能な機器のブルートゥース信号の強度が予め設定される信号強度閾値より大きいと検出された場合、予め決められる範囲内に特定ユーザの有する装着可能な機器が存在したと判断するステップと、
を含むことを特徴とする請求項１に記載の通知情報の表示方法。
【請求項３】
電子機器を使用しているユーザの第１の生理的特徴情報を抽出するステップは、
ユーザが前記通知情報を閲覧するときに生成された前記第１の生理的特徴情報を抽出するステップを含むことを特徴とする請求項１に記載の通知情報の表示方法。
【請求項４】
異なるユーザタイプに対する通知情報の表示方式が異なる通知情報の表示装置であって、
スクリーンロック状態で前記通知情報を受信するように構成される受信モジュールと、
前記通知情報を閲覧しようとするユーザのユーザタイプを確定するように構成される第１の確定モジュールと、
前記第１の確定モジュールが確定した前記ユーザタイプに応じて前記通知情報の表示方式を確定するように構成される第２の確定モジュールと、
前記第２の確定モジュールが確定した前記表示方式に応じて前記通知情報を表示するように構成される表示モジュールと、
を備え、
前記第２の確定モジュールは、
前記ユーザタイプにより前記ユーザが特定ユーザであると示される場合、表示方式を、通知情報におけるプライバシー情報を表示する方式として確定するように構成される第４の確定サブモジュールと、
前記ユーザタイプにより前記ユーザが非特定ユーザであると示される場合、表示方式を、通知情報におけるプライバシー情報を隠す方式として確定するように構成される第５の確定サブモジュールと、
を備え、
前記第１の確定モジュールは、
予め決められる領域内に、特定ユーザの有する装着可能な機器が存在するか否かを検出し、その検出結果によって前記通知情報を閲覧しようとするユーザのタイプを確定するように構成される第１の確定サブモジュール、
または、
電子機器を使用しているユーザの第１の生理的特徴情報を抽出すると共に、予め記憶された特定ユーザの第２の生理的特徴情報を取得して、前記第１の生理的特徴情報と前記第２の生理的特徴情報とを比較し、その比較結果によって前記通知情報を閲覧しようとするユーザのタイプを確定するように構成される第２の確定サブモジュール、
を備えることを特徴とする通知情報の表示装置。
【請求項５】
前記第２の確定サブモジュールは、
ユーザが前記表示モジュールに表示されている前記通知情報を閲覧する時に生成された前記第１の生理的特徴情報を抽出する抽出サブモジュールを備えることを特徴とする請求項４に記載の通知情報の表示装置。
【請求項６】
異なるユーザタイプに対する通知情報の表示方式が異なる通知情報の表示装置であって、
プロセッサと、
前記プロセッサが実行可能な指令を記憶するためのメモリと、
を備え、
前記プロセッサは、スクリーンロック状態で前記通知情報を受信し、前記通知情報を閲覧しようとするユーザのユーザタイプを確定し、前記ユーザタイプに応じて前記通知情報の表示方式を確定し、前記表示方式に応じて前記通知情報を表示するように構成され、
前記ユーザタイプに応じて前記通知情報の表示方式を確定する際に、
前記ユーザタイプにより前記ユーザが特定ユーザであると示される場合、表示方式を、通知情報におけるプライバシー情報を表示する方式として確定し、
前記ユーザタイプにより前記ユーザが非特定ユーザであると示される場合、表示方式を、通知情報におけるプライバシー情報を隠す方式として確定し、
前記通知情報を閲覧しようとするユーザのユーザタイプを確定する際に、
予め決められる領域内に、特定ユーザの有する装着可能な機器が存在するか否かを検出し、その検出結果によって前記通知情報を閲覧しようとするユーザのタイプを確定し、
または、
電子機器を使用しているユーザの第１の生理的特徴情報を抽出すると共に、予め記憶された特定ユーザの第２の生理的特徴情報を取得して、前記第１の生理的特徴情報と前記第２の生理的特徴情報とを比較し、その比較結果によって前記通知情報を閲覧しようとするユーザのタイプを確定することを特徴とする通知情報の表示装置。
【請求項７】
プロセッサに実行されることにより、請求項１から請求項３のいずれか一つに記載の通知情報の表示方法を実現することを特徴とするプログラム。
【請求項８】
請求項７に記載のプログラムが記録された記録媒体。
【発明の詳細な説明】
【技術分野】
【０００１】
本発明は、通信技術分野に関し、特に通知情報の表示方法、その装置、プログラム、及び記録媒体に関する。
【背景技術】
【０００２】
現在の電子機器は、ユーザの便宜のために、スクリーンロック状態であっても、例えばショートメッセージ、インスタントメッセージ等の各種の通知情報を表示することができる。しかし、ユーザ以外の人も、スクリーンロック状態でそれらの通知情報を閲覧することができるので、ユーザ情報の漏れが発生することがある。
【０００３】
電子機器は、ユーザ情報の漏れを防止するために、ユーザの必要に応じてスクリーンロック状態における通知情報の具体的な表示方式を設定することができる。例えば、通知情報の内容を表示する方式、通知情報が受信されたことだけを通知する方式、又は完全に通知情報を表示しない方式に設定することができる。
【発明の概要】
【０００４】
関連技術の問題を解決するために、本発明は、通知情報の表示方法、その装置、プログラム、及び記録媒体を提供する。その技術方案は、以下になる。
【０００５】
本発明の実施例の第１の態様によれば、異なるユーザタイプに対する通知情報の表示方式が異なる通知情報の表示方法であって、スクリーンロック状態で、前記通知情報を受信するステップと、予め決められる領域内に、特定ユーザの有する装着可能な機器が存在するか否かを検出し、その検出結果によって前記通知情報を閲覧しようとするユーザのタイプを確定するステップと、前記ユーザタイプに応じて前記通知情報の表示方式を確定するステップと、前記表示方式に応じて前記通知情報を表示するステップと、を含む、通知情報の表示方法を提供する。
【０００６】
本発明の実施例の第２の態様によれば、異なるユーザタイプに対する通知情報の表示方式が異なる通知情報の表示装置であって、スクリーンロック状態で前記通知情報を受信するように構成される受信モジュールと、第１の確定サブモジュールを有し、当該第１の確定サブモジュールにより予め決められる領域内に、特定ユーザの有する装着可能な機器が存在するか否かを検出し、その検出結果によって前記通知情報を閲覧しようとするユーザのタイプを確定するように構成される第１の確定モジュールと、前記第１の確定モジュールが確定した前記ユーザタイプに応じて前記通知情報の表示方式を確定するように構成される第２の確定モジュールと、前記第２の確定モジュールが確定した前記表示方式に応じて前記通知情報を表示するように構成される表示モジュールと、を備える、通知情報の表示装置を提供する。
【０００７】
本発明の実施例の第３の態様によれば、異なるユーザタイプに対する通知情報の表示方式が異なる通知情報の表示装置であって、プロセッサと、前記プロセッサが実行可能な指令を記憶するためのメモリと、を備え、前記プロセッサは、スクリーンロック状態で前記通知情報を受信し、予め決められる領域内に、特定ユーザの有する装着可能な機器が存在するか否かを検出し、その検出結果によって前記通知情報を閲覧しようとするユーザのタイプを確定し、前記ユーザタイプに応じて前記通知情報の表示方式を確定し、前記表示方式に応じて前記通知情報を表示するように構成される、通知情報の表示装置を提供する。
【０００８】
本発明の実施例の第４の態様によれば、プロセッサに実行されることにより、上記の通知情報の表示方法を実現するプログラムを提供する。
【０００９】
本発明の実施例の第５の態様によれば、上記のプログラムが記録された記録媒体を提供する。
【００１０】
本発明の実施例の技術方案は以下の有益な効果を有する。
【００１１】
スクリーンロック状態で通知情報が受信された後、当該通知情報を閲覧しようとするユーザのユーザタイプに応じて当該通知情報の表示方式を確定し、当該表示方式に応じて当該通知情報を表示することによって、ユーザタイプに応じてスクリーンロック状態における通知情報の表示方式を確定することができるので、ユーザがスクリーンロック状態における通知情報の表示方式を設定した後、通知情報の表示方式が変わらず、異なる使用状況に適応できない問題を解決することができ、通知情報の表示方式の適応性を向上することができる。
【００１２】
以上の一般な説明と後の詳細な説明は例示的なものであり、本発明を限定するものではない。
【図面の簡単な説明】
【００１３】
ここでの図面は、明細書の一部として明細書全体を構成し、本発明に合致する実施例を例示するとともに、本発明の原理を理解するためのものである。
【００１４】
【図１】例示的な実施例に係る通知情報の表示方法のフローチャートである。
【図２Ａ】例示的な他の実施例に係る通知情報の表示方法のフローチャートである。
【図２Ｂ】例示的な実施例に係る当該電子機器を使用しているユーザの第１の生理的特徴情報を抽出するフローチャートである。
【図２Ｃ】例示的な実施例に係る通知情報におけるプライバシー情報を表示する表示方式の模式図である。
【図２Ｄ】例示的な実施例に係る通知情報におけるプライバシー情報を隠す表示方式の模式図である。
【図３】例示的な実施例に係る通知情報の表示装置のブロック図である。
【図４】例示的な他の実施例に係る通知情報の表示装置のブロック図である。
【図５】例示的な実施例に係る通知情報を表示するための装置のブロック図である。
【発明を実施するための形態】
【００１５】
以下、例示的な実施例に対して詳しく説明し、その例示を図面に示す。以下の説明は、図面に関するときに、言及がしない限り、各図面における同一の符号は、同一又は類似の要素を表する。以下の例示的な実施例において説明する実施形態は、本発明に該当する全ての実施形態ではない。逆に、それらは、特許請求の範囲に記載の本発明のある形態と一致する装置及び方法の例示に過ぎない。
【００１６】
図１は、例示的な実施例に係る通知情報の表示方法のフローチャートである。図１に示すように、当該通知情報の表示方法は、電子機器に用いられる。当該電子機器は、スマートフォーン、タブレット、スマートＴＶ、電子ブックリーダー、メディアプレーヤー、ポータブルコンピューター、デスクコンピューター等であってもよい。当該通知情報の表示方法は、ステップ１０１、ステップ１０２、ステップ１０３及びステップ１０４を含む。
【００１７】
ステップ１０１において、スクリーンロック状態で通知情報を受信する。
【００１８】
ステップ１０２において、当該通知情報を閲覧しようとするユーザのユーザタイプを確定する。
【００１９】
ステップ１０３において、ユーザタイプに応じて当該通知情報の表示方式を確定する。
【００２０】
ステップ１０４において、表示方式に応じて当該通知情報を表示する。
【００２１】
ここで、当該通知情報を閲覧しようとするユーザのユーザタイプを確定するステップは、予め決められる領域内に、特定ユーザの有する装着可能な機器が存在するか否かを検出し、検出結果によって通知情報を閲覧しようとするユーザのタイプを確定するステップ、或は、電子機器を使用しているユーザの第１の生理的特徴情報を抽出すると共に、予め記憶された特定ユーザの第２の生理的特徴情報を取得し、第１の生理的特徴情報と第２の生理的特徴情報を比較して、比較結果によって通知情報を閲覧しようとするユーザのタイプを確定するステップを含む。
【００２２】
以上により、本発明の実施例の通知情報の表示方法は、スクリーンロック状態で通知情報が受信された後、当該通知情報を閲覧しようとするユーザのユーザタイプに応じて当該通知情報の表示方式を確定し、当該表示方式で当該通知情報を表示することによって、ユーザタイプに応じてスクリーンロック状態における通知情報の表示方式を確定することができるので、ユーザがスクリーンロック状態における情報の通知を行うという表示方式を設定した場合、通知情報の表示方式が変わらず、異なる使用状況に適応できない問題を解決することができ、通知情報の表示方式の適応性を向上することができる。
【００２３】
図２Ａは、例示的な他の実施例に係る通知情報の表示方法のフローチャートである。図２Ａに示すように、当該通知情報の表示方法は、電子機器に用いられる。当該電子機器は、スマートフォーン、タブレット、スマートＴＶ、電子ブックリーダー、メディアプレーヤー、ポータブルコンピューター、デスクコンピューター等であってもよい。当該通知情報の表示方法は、以下のステップを含む。
【００２４】
ステップ２０１において、スクリーンロック状態において、通知情報を受信する。
【００２５】
ここで、スクリーンロック状態は、電子機器がロックされた状態であり、一般的に、電子機器がロック解除の指令を受信した後、当該スクリーンロック状態が解除されることができる。
【００２６】
ここで、通知情報は、主として電子機器がスリープされスクリーンロックされる状態で受信した情報である。一般的に、ユーザは、通知情報の表示方式を設定することができる。例えば、通知情報が受信された後、スクリーンのスリープを解除し且つスクリーンロック画面に通知情報の全ての内容を表示する方式、又は、スクリーンのスリープを解除し且つスクリーンロック画面に、簡単な通知を１つ表示し、ユーザがスクリーンロックを解除した後、通知情報の全ての内容を表示する方式等に設定することができる。ここで、通知情報は、電子機器が受信したショートメッセージ、インスタントメッセージ、電子メール、プッシュメッセージ等であってもよい。
【００２７】
ステップ２０２において、異なるユーザタイプに対する当該通知情報の表示方式が同じか否かを検出する。
【００２８】
一般的に、ユーザを、特定ユーザと非特定ユーザとの二種のタイプに分けられる。ここで、特定ユーザは、プライバシー情報を閲覧する権限を有するユーザであり、非特定ユーザは、プライバシー情報を閲覧する権限を有しないユーザである。
【００２９】
好ましく、１つの電子機器が複数の特定ユーザと対応し、これらの特定ユーザから特定ユーザチームを形成する。ここで、特定ユーザチームは、電子機器の所有者を含んでもよく、そして当該所有者は、特定ユーザチームにおける他の特定ユーザを設定することができる。例えば、電子機器の所有者は、家族を電子機器の特定ユーザとして設定する場合、当該電子機器の特定ユーザチームは、当該所有者及び当該所有者の家族を含む。
【００３０】
ここで、表示方式は、電子機器がスクリーンロック状態における通知情報の表示方式である。当該表示方式は、通知情報におけるプライバシー情報を表示する方式や、通知情報におけるプライバシー情報を隠す方式や、通知情報を表示しない方式等であってもよい。ここで、プライバシー情報は、当該通知情報を送信する送信者の名称、当該通知情報の詳細内容等であってもよい。
【００３１】
スクリーンロック画面内に、直接的にプライバシー情報を含む通知情報の全ての内容が表示された場合、非特定ユーザは、スクリーンロックを解除する必要がなく当該プライバシー情報を閲覧することができるので、ユーザのプライバシーの漏れの問題が存在する。
【００３２】
それで、ユーザは、当該通知情報を閲覧しようとするユーザのタイプに基づいて、通知情報の表示方式を設定することができる。ここで、ユーザは、特定ユーザと非特定ユーザとに対して異なる表示方式を設定することができる。例えば、表示方式を、特定ユーザが当該通知情報を閲覧する場合、通知情報におけるプライバシー情報を表示する方式として設定し、非特定ユーザが当該通知情報を閲覧する場合、通知情報におけるプライバシー情報を隠す方式として設定する。また、例えば、表示方式を、特定ユーザが当該通知情報を閲覧する場合、通知情報におけるプライバシー情報を表示する方式として設定し、非特定ユーザが当該通知情報を閲覧する場合、当該通知情報を表示しない方式、即ち、電子機器がスクリーンロック状態で当該通知情報が受信された場合、何れの通知もしない方式として設定する。また、ユーザは、特定ユーザと非特定ユーザとに対して同じ表示方式を設定することができる。例えば、表示方式を、特定ユーザと非特定ユーザとのどちらも当該通知情報を閲覧する場合、通知情報におけるプライバシー情報を表示する方式、或は通知情報におけるプライバシー情報を隠す方式として設定することができる。また、ユーザタイプによりほかの表示方式を設定することができ、ここに例示しない。
【００３３】
好ましく、電子機器は、ユーザが、異なるタイプの通知情報に対し表示方式を設定することを許容してもよい。例えば、ユーザは、ショートメッセージとインスタントメッセージとに対してそれぞれ異なる表示方式を設定してもよい。
【００３４】
電子機器は、スクリーンロック状態で通知情報が受信された後、異なるユーザタイプに対する当該通知情報の表示方式が同じか否かを検出し、異なるユーザタイプに対する当該通知情報の表示方式が同じであると検出された場合、当該表示方式で当該通知情報を直接的に表示し、そして動作が完了される。また、異なるユーザタイプに対する当該通知情報の表示方式が異なると検出された場合、ステップ２０３を実行する。
【００３５】
ステップ２０３において、異なるユーザタイプに対する当該通知情報の表示方式が異なると検出された場合、当該通知情報を閲覧しようとするユーザのユーザタイプを確定する。
【００３６】
電子機器は、異なるユーザタイプに対する当該通知情報の表示方式が異なると検出された場合、当該通知情報の表示方式を確定するように、当該通知情報を閲覧しようとするユーザのユーザタイプを確定する必要がある。
【００３７】
電子機器は、下記の２つの方式によって、当該通知情報を閲覧しようとするユーザのユーザタイプを確定することができる。
【００３８】
方式の一つとして、電子機器は、予め決められる領域内に、特定ユーザの有する装着可能な機器が存在するか否かを検出し、検出結果によって当該通知情報を閲覧するユーザタイプを確定する。
【００３９】
一般的に、電子機器は、予め特定ユーザの有する装着可能な機器と関連付けられる。例えば、スマートバンド等の装着可能な機器は、通常、ＢＬＥ（Ｂｌｕｅｔｏｏｔｈ（登録商標）  Ｌｏｗ  Ｅｎｅｒｇｙ、低電力ブルートゥース（登録商標））を介して携帯電話機等の電子機器と接続する。関連付ける方法として、携帯電話機がＢＬＥを介してスマートバンドの特定属性に暗号値を書き込み、このときスマートバンドが、確認する必要があることをユーザに通知し、そして携帯電話機は、確認情報を受信した後、確認情報における当該スマートバンドのＭＡＣ（Ｍｅｄｉａ  Ａｃｃｅｓｓ  Ｃｏｎｔｒｏｌ：メディアアクセスコントロール）アドレスと対応する暗号値とを関連付ける情報として記憶する。ここで、確認の方法は、例えば、振った後、スマートバンドを叩く方法やあるキーを押す方法等の様々な方法を含む。
【００４０】
電子機器は、当該通知情報を閲覧しようとするユーザのユーザタイプを確定する場合、予め決められる範囲内に特定ユーザの有する装着可能な機器が存在するか否かを検出し、予め決められる範囲内に特定ユーザの有する装着可能な機器が存在すると検出された場合、当該通知情報を閲覧しようとするユーザが特定ユーザであると確定し、予め決められる範囲内に特定ユーザの有する装着可能な機器が存在しないと検出された場合、当該通知情報を閲覧しようとするユーザが非特定ユーザであると確定する。ここで、予め決められる範囲は、電子機器との距離が距離閾値より小さい範囲であってもよい、例えば、当該予め決められる範囲は、電子機器との距離が１メートル以内の範囲、或は電子機器との距離が２メートル以内の範囲であってもよい。
【００４１】
好ましく、電子機器は、特定ユーザの有する装着可能な機器のブルートゥース信号の強度によって当該装着可能な機器と電子機器との距離を確定してもよい。この場合、電子機器は、予め決められる範囲内に特定ユーザの有する装着可能な機器が存在するか否かを検出する場合、信号強度閾値を設定してもよい。特定ユーザの有する装着可能な機器のブルートゥース信号の強度が当該信号強度閾値より大きいと検出された場合、予め決められる範囲内に特定ユーザの有する装着可能な機器が存在したと判断し、特定ユーザの有する装着可能な機器のブルートゥース信号の強度が当該信号強度閾値より小さいと検出された場合、予め決められる範囲内に特定ユーザの有する装着可能な機器が存在しないと判断する。
【００４２】
ほかの方式では、電子機器は、当該電子機器を使用しているユーザの第１の生理的特徴情報を抽出し且つ予め記憶された特定ユーザの第２の生理的特徴情報を取得して、第１の生理的特徴情報と第２の生理的特徴情報とを比較し、比較結果によって通知情報を閲覧しようとするユーザのタイプを確定する。
【００４３】
ここで、第１の生理的特徴情報は、電子機器が抽出した電子機器を使用しているユーザの生理的特徴情報であり、第２の生理的特徴情報は、電子機器が予め記憶した特定ユーザの生理的特徴情報である。ここで、生理的特徴情報は、顔情報や指紋情報や音声情報等であってもよい。
【００４４】
電子機器は、当該電子機器を使用しているユーザの第１の生理的特徴情報を抽出した後、当該第１の生理的特徴情報を予め記憶された特定ユーザの第２の生理的特徴情報と比較して、その結果として、当該第１の生理的特徴情報と第２の生理的特徴情報とが同じである場合、当該通知情報を閲覧しようとするユーザが特定ユーザであると確定し、当該第１の生理的特徴情報と第２の生理的特徴情報とが異なる場合、当該通知情報を閲覧しようとするユーザが非特定ユーザであると確定する。
【００４５】
例えば、生理的特徴情報が顔情報である場合、電子機器は、通知情報を表示する前に、フロントカメラを起動して、当該電子機器を使用しているユーザの顔情報を取得する。そして、当該顔情報を予め電子機器に記憶された特定ユーザの顔情報と比較し、取得した顔情報が特定ユーザの顔情報と合致する場合、当該通知情報を閲覧しようとするユーザが特定ユーザであると確定し、取得した顔情報が特定ユーザの顔情報と合致しない場合、当該通知情報を閲覧しようとするユーザが非特定ユーザであると確定する。
【００４６】
好ましく、電子機器は、当該電子機器を使用しているユーザの第１の生理的特徴情報を抽出するとき、以下のステップ２０３ａと２０３ｂで抽出してもよい。
【００４７】
ステップ２０３ａにおいて、通知情報におけるプライバシー情報を隠す表示方式で当該通知情報を表示する。
【００４８】
電子機器は、スクリーンロック状態で通知情報が受信された後、当該通知情報の表示方式を、通知情報におけるプライバシー情報を隠す方式として確定して、当該表示方式で当該通知情報を表示する。
【００４９】
ステップ２０３ｂにおいて、ユーザが当該通知情報を閲覧するときに生成された第１の生理的特徴情報を抽出する。
【００５０】
電子機器は、ユーザが当該通知情報を閲覧しているとき、当該ユーザの第１の生理的特徴情報を抽出してもよい。例えば、電子機器は、フロントカメラを起動して当該通知情報を閲覧しているユーザの顔情報を抽出してもよい、或は、指紋抽出領域を使用して当該通知情報を閲覧しているユーザの指紋情報を抽出してもよい。
【００５１】
ステップ２０４において、ユーザタイプにより当該ユーザが特定ユーザであると示される場合、表示方式を、通知情報におけるプライバシー情報を表示する方式として確定する。
【００５２】
電子機器は、当該通知情報を閲覧しようとするユーザのユーザタイプを確定した後、当該ユーザタイプにより当該ユーザが特定ユーザであると示される場合、当該通知情報の表示方式を、通知情報におけるプライバシー情報を表示する方式として確定する。ここで、プライバシー情報は、当該通知情報を送信する送信者の名称、当該通知情報の詳細内容等であってもよい。
【００５３】
例えば、例示的な実施例に係る通知情報におけるプライバシー情報を表示する表示方式の模式図である図２Ｃを参照する。図２Ｃに示すように、電子機器は、スクリーンロック状態で通知情報を受信し、且つ当該通知情報を閲覧しようとするユーザが特定ユーザであると確定した後、当該通知情報の送信者の名称である「白小飛」及び当該通知情報の詳細内容である「薇ちゃん、今どこ？」を表示させる。
【００５４】
ステップ２０５において、ユーザタイプにより当該ユーザが非特定ユーザであると示される場合、表示方式を、通知情報におけるプライバシー情報を隠す方式として確定する。
【００５５】
電子機器は、当該通知情報を閲覧しようとするユーザのユーザタイプを確定した後、当該ユーザタイプにより当該ユーザが非特定ユーザであると示される場合、該通知情報の表示方式を、当通知情報におけるプライバシー情報を隠す方式として確定する。
【００５６】
例えば、例示的な実施例に係る通知情報におけるプライバシー情報を隠す表示方式の模式図である図２Ｄを参照する。図２Ｄに示すように、電子機器は、スクリーンロック状態で通知情報を受信し、当該通知情報を閲覧しようとするユーザが非特定ユーザであると確定した後、「閲覧されないメッセージが存在する」という通知だけを表示する。
【００５７】
ステップ２０６において、表示方式に応じて当該通知情報を表示する。
【００５８】
電子機器は、通知情報の表示方式を確定した後、当該表示方式でスクリーンロック画面内に当該通知情報を表示する。
【００５９】
以上により、本発明の実施例の通知情報の表示方法は、スクリーンロック状態で通知情報が受信された後、当該通知情報を閲覧しようとするユーザのユーザタイプに応じて当該通知情報の表示方式を確定し、当該表示方式で当該通知情報を表示することによって、ユーザタイプに応じてスクリーンロック状態における通知情報の表示方式を確定することができるので、ユーザがスクリーンロック状態における通知情報の表示方式を設定した後、通知情報の表示方式が変わらず、異なる使用状況に適応できない問題を解決することができ、通知情報の表示方式の適応性を向上することができる。
【００６０】
また、ユーザタイプによりユーザが特定ユーザであると示される場合、表示方式を、通知情報におけるプライバシー情報を表示する方式として確定することができ、ユーザタイプによりユーザが非特定ユーザであると示される場合、表示方式を、通知情報におけるプライバシー情報を隠す方式として確定することができるので、非特定ユーザが通知情報を閲覧している場合、通知情報におけるプライバシー情報を隠すことができる。このように、電子機器がスクリーンロック状態にある場合、通知情報におけるプライバシー情報が直接的に表示され、ユーザの情報の漏れが発生する問題を解決することができ、ユーザの情報の安全性を向上することができる。
【００６１】
また、通知情報におけるプライバシー情報を隠す表示方式で当該通知情報を表示し、電子機器を使用しているユーザの第１の生理的特徴情報を抽出すると共に、第１の生理的特徴情報を予め記憶された特定ユーザの第２の生理的特徴情報を比較して、比較結果によって当該通知情報を閲覧するユーザのタイプを確定することによって、ユーザの生理的特徴情報を取得することでユーザタイプを確定することができるので、他の方式でユーザタイプを確定する場合、偏差が起こられる問題を解決することができ、ユーザタイプの確定の正確性を向上することができる。
【００６２】
以下の本発明の装置の実施例は、本発明の方法の実施例を実施することができる。本発明の装置の実施例に記載されていない内容に関して、本発明の方法の実施例を参照する。
【００６３】
図３は、例示的な実施例に係る通知情報の表示装置のブロック図である。図３に示すように、当該通知情報の表示装置は、電子機器に用いられる。当該電子機器は、スマートフォーン、タブレット、スマートＴＶ、電子ブックリーダー、メディアプレーヤー、ポータブルコンピューター、デスクトップコンピューター等であってもよい。当該通知情報の表示装置は、受信モジュール３０１と、第１の確定モジュール３０２と、第２の確定モジュール３０３と、表示モジュール３０４とを備えるが、これらに限定するものではない。
【００６４】
当該受信モジュール３０１は、スクリーンロック状態で、通知情報を受信するように構成される。
【００６５】
当該第１の確定モジュール３０２は、受信モジュール３０１が受信した通知情報を閲覧しようとするユーザのユーザタイプを確定するように構成される。
【００６６】
当該第２の確定モジュール３０３は、第１の確定モジュール３０２が確定したユーザタイプに応じて当該通知情報の表示方式を確定するように構成される。
【００６７】
当該表示モジュール３０４は、第２の確定モジュール３０３が確定した表示方式に応じて当該通知情報を表示するように構成される。
【００６８】
その中に、当該第１の確定モジュール３０２は、第１の確定サブモジュール３０２ａまたは第２の確定サブモジュール３０２ｂを備えてもよい。
【００６９】
当該第１の確定サブモジュール３０２ａは、予め決められる領域内に、特定ユーザの有する装着可能な機器が存在するか否かを検出し、検出結果によって当該通知情報を閲覧するユーザタイプを確定するように構成される。
【００７０】
当該第２の確定サブモジュール３０２ｂは、電子機器を使用しているユーザの第１の生理的特徴情報を抽出すると共に、予め記憶された特定ユーザの第２の生理的特徴情報を取得して、第１の生理的特徴情報と第２の生理的特徴情報を比較して、比較結果によって当該通知情報を閲覧するユーザタイプを確定するように構成される。
【００７１】
以上により、本発明の実施例の通知情報の表示装置は、スクリーンロック状態で通知情報が受信された後、当該通知情報を閲覧しようとするユーザのユーザタイプに応じて当該通知情報の表示方式を確定し、当該表示方式で当該通知情報を表示することによって、ユーザタイプに応じてスクリーンロック状態における通知情報の表示方式を確定することができるので、ユーザがスクリーンロック状態における通知情報の表示方式を設定した後、通知情報の表示方式が変わらず、異なる使用状況に適応できない問題を解決することができ、通知情報の表示方式の適応性を向上することができる。
【００７２】
図４は、例示的な他の実施例に係る通知情報の表示装置のブロック図である。図４に示すように、当該通知情報の表示装置は、電子機器に用いられる。当該電子機器は、スマートフォーン、タブレット、スマートＴＶ、電子ブックリーダー、メディアプレーヤー、ポータブルコンピューター、デスクトップコンピューター等であってもよい。当該通知情報の表示装置は、受信モジュール４０１と、第１の確定モジュール４０２と、第２の確定モジュール４０３と、表示モジュール４０４とを備えるが、これらに限定するものではない。
【００７３】
当該受信モジュール４０１は、スクリーンロック状態で、通知情報を受信するように構成される。
【００７４】
当該第１の確定モジュール４０２は、受信モジュール４０１が受信した通知情報を閲覧しようとするユーザのユーザタイプを確定するように構成される。
【００７５】
当該第２の確定モジュール４０３は、第１の確定モジュール４０２が確定したユーザタイプに応じて当該通知情報の表示方式を確定するように構成される。
【００７６】
当該表示モジュール４０４は、第２の確定モジュール４０３が確定した表示方式で当該通知情報を表示するように構成される。
【００７７】
ここで、当該第１の確定モジュール４０２は、第１の確定サブモジュール４０２ａまたは第２の確定サブモジュール４０２ｂを備えてもよい。
【００７８】
当該第１の確定サブモジュール４０２ａは、予め決められる領域内に、特定ユーザの有する装着可能な機器が存在するか否かを検出し、検出結果によって当該通知情報を閲覧するユーザタイプを確定するように構成される。
【００７９】
当該第２の確定サブモジュール４０２ｂは、電子機器を使用しているユーザの第１の生理的特徴情報を抽出すると共に、予め記憶された特定ユーザの第２の生理的特徴情報を取得して、第１の生理的特徴情報と第２の生理的特徴情報を比較して、比較結果によって当該通知情報を閲覧するユーザタイプを確定するように構成される。
【００８０】
実施可能な実施例の一つにおいて、当該第２の確定サブモジュール４０２ｂは、表示サブモジュール４０２ｂ１と抽出サブモジュール４０２ｂ２とを備えてもよい。
【００８１】
当該表示サブモジュール４０２ｂ１は、通知情報におけるプライバシー情報を隠す表示方式で当該通知情報を表示するように構成される。
【００８２】
当該抽出サブモジュール４０２ｂ２は、ユーザが表示サブモジュール４０２ｂ１によって表示された通知情報を閲覧しているときに生成された第１の生理的特徴情報を抽出するように構成される。
【００８３】
実施可能な実施例の一つにおいて、当該第１の確定モジュール４０２は、検出サブモジュール４０２ｃと第３の確定サブモジュール４０２ｄとを備えてもよい。
【００８４】
当該検出サブモジュール４０２ｃは、異なるユーザタイプに対する当該通知情報の表示方式が同じか否かを検出するように構成される。
【００８５】
当該第３の確定サブモジュール４０２ｄは、検出サブモジュール４０２ｃによって、異なるユーザタイプに対する当該通知情報の表示方式が異なると検出された場合、当該通知情報を閲覧しようとするユーザのユーザタイプを確定するように構成される。
【００８６】
実施可能な実施例の一つにおいて、当該第２の確定モジュール４０３は、第４の確定サブモジュール４０３ａまたは第５の確定サブモジュール４０３ｂを備えてもよい。
【００８７】
当該第４の確定サブモジュール４０３ａは、ユーザタイプにより当該ユーザが特定ユーザであると示される場合、表示方式を、通知情報におけるプライバシー情報を表示する方式として確定するように構成される。
【００８８】
当該第５の確定サブモジュール４０３ｂは、ユーザタイプにより当該ユーザが非特定ユーザであると示される場合、表示方式を、通知情報におけるプライバシー情報を隠す方式として確定するように構成される。
【００８９】
以上により、本発明の実施例の通知情報の表示装置は、スクリーンロック状態で通知情報が受信された後、当該通知情報を閲覧しようとするユーザのユーザタイプに応じて当該通知情報の表示方式を確定し、当該表示方式で当該通知情報を表示することによって、ユーザタイプに応じてスクリーンロック状態における通知情報の表示方式を確定することができるので、ユーザがスクリーンロック状態における通知情報の表示方式を設定した後、通知情報の表示方式が変わらず、異なる使用状況に適応できない問題を解決することができ、通知情報の表示方式の適応性を向上することができる。
【００９０】
また、ユーザタイプによりユーザが特定ユーザであると示される場合、表示方式を、通知情報におけるプライバシー情報を表示する方式として確定することができ、ユーザタイプにより指示ユーザが非特定ユーザであると示される場合、表示方式を、通知情報におけるプライバシー情報を隠す方式として確定することができるので、非特定ユーザが通知情報を閲覧しているとき、通知情報におけるプライバシー情報を隠すことができる。このように、電子機器がスクリーンロック状態にあるときに通知情報におけるプライバシー情報が直接的に表示され、ユーザの情報の漏れが発生する問題を解決することができ、ユーザ情報の安全性を向上することができる。
【００９１】
また、通知情報におけるプライバシー情報を隠す表示方式で当該通知情報を表示し、電子機器を使用しているユーザの第１の生理的特徴情報を抽出して、第１の生理的特徴情報と予め記憶された特定ユーザの第２の生理的特徴情報とを比較して、比較結果によって当該通知情報を閲覧するユーザタイプを確定することによって、ユーザの生理的特徴情報を取得することでユーザタイプを確定することができるので、他の方式でユーザタイプを確定する場合に起こり得る偏差の問題を解決することができ、ユーザタイプの確定の正確性を向上することができる。
【００９２】
上記実施例の装置に関して、各モジュールが実行する動作の具体的な方式は、該当する方法の実施例に説明したので、ここで省略する。
【００９３】
本発明の例示的な実施例は、本発明の通知情報の表示方法を実施できる通知情報の表示装置を提供する。当該通知情報の表示装置は、プロセッサと、プロセッサが実行可能な指令を記憶するためのメモリとを有する。
【００９４】
その中に、プロセッサは、スクリーンロック状態で通知情報を受信し、当該通知情報を閲覧しようとするユーザのユーザタイプを確定し、ユーザタイプに応じて当該通知情報の表示方式を確定し、表示方式で当該通知情報を表示するように構成される。
【００９５】
通知情報を閲覧しようとするユーザのタイプを確定することは、予め決められる領域内に、特定ユーザの有する装着可能な機器が存在するか否かを検出し、検出結果によって当該通知情報を閲覧するユーザタイプを確定する方式、または、電子機器を使用しているユーザの第１の生理的特徴情報を抽出すると共に、予め記憶された特定ユーザの第２の生理的特徴情報を取得して、第１の生理的特徴情報と第２の生理的特徴情報を比較して、比較結果によって当該通知情報を閲覧するユーザタイプを確定する方式を含む。
【００９６】
図５は、例示的な実施例に係る通知情報を表示するための装置のブロック図である。例えば、装置５００は、携帯電話機、コンピュータ、デジタル放送端末、メッセージ送受信機器、ゲームコントローラ、タブレットデバイス、医療機器、フィットネス機器、ＰＡＤなどであってもよい。
【００９７】
図５に示すように、装置５００は、プロセスアセンブリ５０２、メモリ５０４、電源アセンブリ５０６、マルチメディアアセンブリ５０８、オーディオアセンブリ５１０、入力／出力（Ｉ／Ｏ）インターフェイス５１２、センサアセンブリ５１４、及び通信アセンブリ５１６のような１つ以上のアセンブリを含んでよい。
【００９８】
プロセスアセンブリ５０２は、一般的に装置５００全体の動作を制御するものであり、例えば、表示、電話呼び出し、データ通信、カメラ動作、及び記録動作と関連する動作を制御する。プロセスアセンブリ５０２は、１つ以上のプロセッサ５１８を含み、これらによって指令を実行することにより、上記方法の全部、又は一部のステップを実現するように構成されてもよい。また、プロセスアセンブリ５０２は、１つ以上のモジュールを含み、これらによってプロセスアセンブリ５０２と他のアセンブリの間のインタラクションを容易にするようにしてもよい。例えば、プロセスアセンブリ５０２は、マルチメディアモジュールを含み、これらによってマルチメディアアセンブリ５０８とプロセスアセンブリ５０２との間のインタラクションを容易にするようにしてもよい。
【００９９】
メモリ５０４は、各種類のデータを記憶することにより装置５００の動作を支援するように構成される。これらのデータの例は、装置５００において実行される何れのアプリケーションプログラム又は方法の命令、連絡先データ、電話帳データ、メッセージ、画像、ビデオ等を含む。メモリ５０４は、何れの種類の揮発性、不揮発性メモリデバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（  Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【０１００】
電源アセンブリ５０６は、装置５００の様々なアセンブリに電力を供給する。電源アセンブリ５０６は、電源管理システム、１つ以上の電源、及び装置５００のための電力の生成、管理及び割り当てに関連する他のアセンブリを含んでもよい。
【０１０１】
マルチメディアアセンブリ５０８は、前記装置５００とユーザの間に１つの出力インターフェイスを提供するスクリーンを含む。上記実施例において、スクリーンは液晶モニター（ＬＣＤ）とタッチパネル（ＴＰ）を含んでもよい。スクリーンがタッチパネルを含むことにより、スクリーンはタッチスクリーンとして実現されることができ、ユーザからの入力信号を受信することができる。タッチパネルは１つ以上のタッチセンサを含んでおり、タッチ、スライド、及びタッチパネル上のジェスチャを検出することができる。前記タッチセンサは、タッチ、或はスライドの動作の境界だけでなく、前記タッチ、或はスライド操作に係る継続時間及び圧力も検出できる。上記実施例において、マルチメディアアセンブリ５０８は、１つのフロントカメラ、及び／又はリアカメラを含む。装置５００が、例えば撮影モード、或はビデオモード等の動作モードにある場合、フロントカメラ、及び／又はリアカメラは外部からマルチメディアデータを受信できる。フロントカメラとリアカメラのそれぞれは、１つの固定型の光レンズ系、或は可変焦点距離と光学ズーム機能を有するものであってもよい。
【０１０２】
オーディオアセンブリ５１０は、オーディオ信号を入出力するように構成されてもよい。例えば、オーディオアセンブリ５１０は、１つのマイク（ＭＩＣ）を含み、装置５００が、例えば呼出しモード、記録モード、及び音声認識モード等の動作モードにある場合、マイクは外部のオーディオ信号を受信することができる。受信されたオーディオ信号は、さらにメモリ５０４に記憶されたり、通信アセンブリ５１６を介して送信されたりされる。上記実施例において、オーディオアセンブリ５１０は、オーディオ信号を出力するための１つのスピーカーをさらに含む。
【０１０３】
Ｉ／Ｏインターフェイス５１２は、プロセスアセンブリ５０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１０４】
センサアセンブリ５１４は、装置５００に各方面の状態に対する評価を提供するための１つ以上のセンサを含む。例えば、センサアセンブリ５１４は、装置５００のＯＮ／ＯＦＦ状態、装置５００のディスプレイとキーパッドのようなアセンブリの相対的な位置関係を検出できる。また、例えば、センサアセンブリ５１４は、装置５００、或は装置５００の１つのアセンブリの位置変更、ユーザと装置５００とが接触しているか否か、装置５００の方位、又は加速／減速、装置５００の温度の変化を検出できる。センサアセンブリ５１４は、何れの物理的接触がない状態にて付近の物体の存在を検出するための近接センサを含んでもよい。センサアセンブリ５１４は、撮影アプリケーションに適用するため、ＣＭＯＳ、又はＣＣＤ画像センサのような光センサを含んでもよい。上記実施例において、当該センサアセンブリ５１４は、加速度センサ、ジャイロスコープセンサ、磁気センサ、圧力センサ、及び温度センサをさらに含んでもよい。
【０１０５】
通信アセンブリ５１６は、装置５００と他の機器の間に有線、又は無線形態の通信を提供する。装置５００は、例えばＷｉＦｉ、２Ｇ、３Ｇ、或はこれらの組み合わせのような、通信規格に基づいた無線ネットワークに接続されてもよい。１つの例示的な実施例において、通信アセンブリ５１６は、放送チャンネルを介して外部の放送管理システムからの放送信号、又は放送に関連する情報を受信する。１つの例示的な実施例において、前記通信アセンブリ５１６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ（登録商標））技術、他の技術に基づいて実現できる。
【０１０６】
例示的な実施例において、装置５００は、１つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記の通知情報の表示方法を実行する。
【０１０７】
例示的な実施例では、さらに、指令を含むコンピュータ読み取り可能な非一時的な記憶媒体、例えば、指令を含むメモリ５０４を提供しており、装置５００のプロセッサ５１８により前記指令を実行して上記方法を実現する。例えば、コンピュータ読み取り可能な非一時的な記憶媒体は、ＲＯＭ、ＲＡＭ、ＣＤ−ＲＯＭ、磁気テープ、フロッピー（登録商標）ディスク、および光データ記憶デバイスなどであってもよい。
【０１０８】
当業者にとって、明細書を考慮してこの発明を実施した後、本発明のその他の実施の形態を容易に想到し得ることができる。本願は、本発明のいかなる変形、用途又は適応的変化をカバーすることを目的とし、これら変形、用途又は適応的変化は、本発明の一般的原理に従うとともに、本発明に開示されていない本技術分野における公知の常識又は慣用の技術手段を含む。明細書及び実施例は、例示的なものに過ぎず、本発明の本当の範囲及び主旨は、特許請求の範囲に含まれる。
【０１０９】
本発明は、以上のように説明すると共に図面に示された正確な構造に限られず、その要旨を逸脱しない範囲内で各種の変形及び変更を行うことができると理解すべきである。本発明の範囲は、特許請求の範囲のみで限定される。
【０１１０】
本願は、出願番号がＣＮ２０１４１０８５１１２９．３であって、出願日が２０１４年１２月３０日である中国特許出願に基づき優先権を主張し、当該中国特許出願のすべての内容を本願に援用する。
【図１】
0006259129.tif 000002
【図２Ａ】
0006259129.tif 000003
【図２Ｂ】
0006259129.tif 000004
【図２Ｃ】
0006259129.tif 000005
【図２Ｄ】
0006259129.tif 000006
【図３】
0006259129.tif 000007
【図４】
0006259129.tif 000008
【図５】
0006259129.tif 000009